(57)【要約】【課題】ただ一種類のマイクロカプセルトナーを用いる簡単な構成のカラー画像形成装置を提供する。【解決手段】トナーＴは大径マイクロカプセルから成るトナーであり、該カプセル内にはイエロー、マゼンタ、シアン、黒を発色する小径マイクロカプセルが内包されている。光書込ヘッド７は４色の画像情報の論理和で感光体ドラム６を露光し、その静電潜像に現像ローラ２１はトナーＴを配置現像する。配置現像トナーＴ１は中間転写ドラム５１との対向部の間隙Ｋを飛び越えて中間転写ドラム５１に転写され、発色現像部ｃに搬送される。発色現像部ｃは超音波ラインヘッド９と一体構成の液体収容皿５２に常時満載されている液体に満たされ、配置現像トナーＴ１は超音波ラインヘッド９から液体を介して超音波を効率よく照射され、小径マイクロカプセルを選択的に破壊されて発色現像される。発色現像トナー像Ｔ２は転写部ｔで転写ローラ１０により用紙に転写される。【選択図】      図１９
2005070486.tif 000002
【特許請求の範囲】
【請求項１】
所定の刺激によって破壊可能なカプセル壁で囲繞された複数種の小径マイクロカプセルを支持材に分散内包する大径マイクロカプセルから成り、互いに混合されて発色反応を起こす反応性物質の一方を前記各々の小径マイクロカプセル壁内側に分散し、前記反応性物質の他方を前記各々の小径マイクロカプセル壁外側の前記支持材に分散して成るマイクロカプセルトナーを用いて所定の印字速度でカラー画像を形成するカラー画像形装置であって、
前記マイクロカプセルトナーを複数種の色の画像データの論理和より合成されたデータに基づいて画素に対応するサイズの画素群層でトナー像担持体上に乾式写真方式により配置現像する配置現像手段と、
前記トナー像担持体に所定の位置で非接触で対向し該対向部において前記配置現像手段により配置現像された前記マイクロカプセルトナーの画素群層を所定の印加電圧により非接触転写され該非接触転写された前記マイクロカプセルトナーの画素群層を少なくとも発色現像部まで搬送する中間転写部材と、
該中間転写部材上に配置現像されている前記マイクロカプセルトナーの画素群層に対し前記発色現像部において気体相を介在させることなく液体相の超音波伝播材を介して画素サイズに収束された複数種の周波数の超音波を選択的に照射することにより、各周波数ごとに選択的に反応する前記小径マイクロカプセルの外殻を破壊し、この外殻により分離されていた発色剤と顕色剤とを反応させて所定の色を発色させる発色手段と、
を備えたことを特徴とするカラー画像形成装置。
【請求項２】
前記複数種の色は、マゼンタ、シアン、及びイエロー、又は、マゼンタ、シアン、イエロー、及びブラックであることを特徴とする請求項１記載のカラー画像形成装置。
【請求項３】
前記発色手段は、超音波照射素子を直線アレイ状に配置してなる超音波ラインヘッドと、該超音波ラインヘッドの超音波照射部と一体に形成され前記液体相の超音波伝播材を常時満載し前記発色現像部において前記液体相の超音波伝播材が前記中間転写部材及び前記マイクロカプセルトナーの画素群層に気体相を介在させることなく接触するように配置された液体収容皿と、
を備えていることを特徴とする請求項１記載のカラー画像形成装置。
【請求項４】
前記トナー像担持体と前記中間転写部材との非接触対向部における間隙Ｋは「０．１ｍｍ≦Ｋ≦０．３ｍｍ」であり、前記所定の印加電圧Ｅは「０．９ｋＶ≦Ｅ≦１．８ｋＶ」である、ことを特徴とする請求項１記載のカラー画像形成装置。
【請求項５】
前記所定の印加電圧は、ＤＣ電圧にＡＣ電圧を重畳させた電圧のピーク電圧である、ことを特徴とする請求項４記載のカラー画像形成装置。
【請求項６】
前記所定の印字速度は、少なくとも３２ｍｍ／ｓｅｃよりも速い速度である、ことを特徴とする請求項１記載のカラー画像形成装置。
【発明の詳細な説明】
【技術分野】
【０００１】
本発明は、カラー画像形成装置に係わり、特に詳しくはただ一種類のマイクロカプセルトナーを用いるカラー画像形成装置に関する。
【背景技術】
【０００２】
近年、パーソナルコンピュータを中心とした情報機器としてのコンピュータの普及に伴って、その周辺機器のひとつとしてプリンタ装置が普及している。このプリンタ装置には大きく分けて液体インクを使用するものと、固体インクを使用するものがある。
液体インクを使用するものとしては、インクジェット方式のプリンタ装置が広く普及しており、固体インクを使用するものとしては、熱転写式の例えばラベルプリンタや電子写真式の例えば複写機やプリンタが知られている。
【０００３】
熱転写式のプリンタ装置は、インクリボンに塗布されている固体インクを発熱素子によって画像情報に応じて溶融又は昇華させて記録用紙に転写し、冷却・固化させて、記録用紙に画像を形成するものであり、電子写真式のプリンタ（複写機も含む、以下同様）は、固体インクに相当するものとしてトナーを用い、電子写真方式により像担持体としての感光体ドラム上にトナー像を形成し、このトナー像を記録用紙に転写して熱定着させて記録用紙に画像を形成する。
【０００４】
特に複数の画像形成部を多段式に並設して構成したタンデム型の電子写真式プリンタは高速の多色印刷を可能とする点に特色がある。（例えば、特許文献１参照。）
このような電子写真式プリンタは、トナー像を記録用紙に転写する際の転写方式によって性能が大きく左右されるため、転写状態が最良の状態になるように種々の転写方式が提案されている。例えば、記録用紙が通紙されていない状態で像担持体（感光体ドラム）と転写器（転写ローラ）とが接触する形式のものと、非接触とする形式のものがある。
【０００５】
非接触とする形式のものには、感光体ドラムと転写ローラとの非接触間隙（ギャップ）を、０．２〜０．２５ｍｍ程度にしたほうがよいとする提案が知られている。（例えば、特許文献２参照。）
また、そのように感光体ドラムと転写ローラとを非接触とした場合に、多枚数の印刷実行後のカブリの発生を防止するために、ギャップを０．２ｍｍ又は０．３ｍｍとして非通紙時の転写ローラへの印加電圧を感光体ドラムの帯電極性と同極性の１〜４ｋＶにすればよいとの提案も知られている。（例えば、特許文献３参照。）
また、同様に感光体ドラムと転写ローラとを非接触とした場合に、転写ローラの汚れを除去するために、非通紙時に、転写ローラに通紙時と逆の正極性にシフトしたＡＣ電圧５００Ｖの振動電界を発生させると良いことが提案されている。（例えば、特許文献４参照。）
また、比較的新規な方式として、光や熱等の外部刺激に応答するマイクロカプセルを含有するインク層を予めコーティングした専用の記録紙を用い、これに画像情報に対応した光や熱を付与して画像形成を行う画像形成装置も知られている。（例えば、特許文献５参照。）
【特許文献１】特開平９−２８８３９６号公報（［要約］、図１）
【特許文献２】特開２００１−３１２１５８号公報（段落［０００６］、図１）
【特許文献３】特開２００１−０５１５１６号公報（段落［０００８］、図２）
【特許文献４】特開２００１−０９２２６６号公報（段落［０００７］、［０００８］、図１、図２）
【特許文献５】特公平６−９６３３８号公報（第２頁右欄第５０行〜第３頁左欄第２３行、図１）
【発明の開示】
【発明が解決しようとする課題】
【０００６】
上記特許文献１の技術は、高速の多色印刷を可能とする点に特色があるが、画像形成を行うには、定着装置を除けば、感光体ドラム、初期化帯電器、露光装置、現像器、クリーニング装置等が各色毎に必要であり、全体構成が極めて複雑になっていて、工場における組み立て工数が多く、また、保守作業に手数を要するという問題が残されている。
【０００７】
また、特許文献２〜４の技術は、上記特許文献１のようにタンデム型の多色印刷用プリンタにも適用できる電子写真式画像形成の転写機能に特定された技術であるが、定着装置を除いて各色毎に感光体ドラム、初期化帯電器、露光装置、現像器、クリーニング装置等を必要とし、全体構成が極めて複雑である点においては変わるところがない。
【０００８】
また、特許文献５の技術は、マイクロカプセルを含有するインク層を乾燥固化して形成したコーティング層を有する専用の記録紙を用いるため普通紙が使用できないという問題がある。また、基本的に記録紙全面にインクを塗布することから、コストアップの原因になる。さらに、複数色の印字工程を繰り返すことから、色ずれ管理が難しく、装置の複雑化も避けられない。
【０００９】
本発明の課題は、上記従来の実情に鑑み、一種類の固体インクを用いる簡単な構成で多色の画像形成を容易に行うことができるカラー画像形成装置を提供することである。
【課題を解決するための手段】
【００１０】
以下に、本発明に係わるカラー画像形成装置の構成を述べる。
本発明のカラー画像形成装置は、所定の刺激によって破壊可能なカプセル壁で囲繞された複数種の小径マイクロカプセルを支持材に分散内包する大径マイクロカプセルから成り、互いに混合されて発色反応を起こす反応性物質の一方を上記各々の小径マイクロカプセル壁内側に分散し、上記反応性物質の他方を上記各々の小径マイクロカプセル壁外側の上記支持材に分散して成るマイクロカプセルトナーを用いて所定の印字速度でカラー画像を形成するカラー画像形装置であって、上記マイクロカプセルトナーを複数種の色の画像データの論理和より合成されたデータに基づいて画素に対応するサイズの画素群層でトナー像担持体上に乾式写真方式により配置現像する配置現像手段と、上記トナー像担持体に所定の位置で非接触で対向し該対向部において上記配置現像手段により配置現像された上記マイクロカプセルトナーの画素群層を所定の印加電圧により非接触転写され該非接触転写された上記マイクロカプセルトナーの画素群層を少なくとも発色現像部まで搬送する中間転写部材と、該中間転写部材上に配置現像されている上記マイクロカプセルトナーの画素群層に対し上記発色現像部において気体相を介在させることなく液体相の超音波伝播材を介して画素サイズに収束された複数種の周波数の超音波を選択的に照射することにより、各周波数ごとに選択的に反応する上記小径マイクロカプセルの外殻を破壊し、この外殻により分離されていた発色剤と顕色剤とを反応させて所定の色を発色させる発色手段と、を備えて構成される。
【００１１】
上記複数種の色は、例えばマゼンタ、シアン、及びイエロー、又は、マゼンタ、シアン、イエロー、及びブラックで構成される。
また、上記発色手段は、例えば超音波照射素子を直線アレイ状に配置してなる超音波ラインヘッドと、該超音波ラインヘッドの超音波照射部と一体に形成され上記液体相の超音波伝播材を常時満載し上記発色現像部において上記液体相の超音波伝播材が上記中間転写部材及び上記マイクロカプセルトナーの画素群層に気体相を介在させることなく接触するように配置された液体収容皿と、を備えて構成される。
【００１２】
このカラー画像形成装置において、例えば、上記トナー像担持体と上記中間転写部材との非接触対向部における間隙Ｋは「０．１ｍｍ≦Ｋ≦０．３ｍｍ」であり、上記所定の印加電圧Ｅは「０．９ｋＶ≦Ｅ≦１．８ｋＶ」であるように構成され、この場合、上記所定の印加電圧は、例えばＤＣ電圧にＡＣ電圧を重畳させた電圧のピーク電圧で構成してもよい。
【００１３】
また、このカラー画像形成装置においては、例えば、上記所定の印字速度は、少なくとも３２ｍｍ／ｓｅｃよりも速い速度であるように構成することが好ましい。
【発明の効果】
【００１４】
上述したように、本発明によれば、トナー像現像を乾式電子写真式で行う感光体ドラムと発色現像を液体現像によって行う中間転写体とが非接触となるように適宜の間隙を設けるので、中間転写体の現像用液体が感光体ドラムに転移して感光体ドラムの帯電性を阻害する不具合が防止されると共に、中間転写体側に液体乾燥装置や液体除去装置等を設ける必要がなく、構成が簡単化され装置の小型化が容易となる。
【００１５】
また、多色刷り用の固体インクとしてただ一種類のマイクロカプセルトナーを用いるので、多色用でありながら複数のトナーを用意する必要がなくトナーの管理が容易であり、経費節減に貢献する。
また、一種類だけのマイクロカプセルトナーを用いるので、ただ一つの画像形成部を有する簡単で小型な構成で多色の画像形成を行う低廉なカラー画像形成装置を提供することが可能となる。
【発明を実施するための最良の形態】
【００１６】
以下、本発明の実施の形態を図面を参照しながら説明する。
【実施例１】
【００１７】
図１は、第１の実施の形態におけるカラー画像形成装置の全体構成図である。なお、同図に示すカラー画像形成装置１は、例えばピアツーピア（peer to peer）で接続されたパーソナルコンピュータのホスト機器側に接続されたプリンタ装置またはＬＡＮ（ローカルエリアネットワーク）に接続されたプリンタ装置であってもよい。
【００１８】
同図に示すカラー画像形成装置１は、画像形成部２、給紙部３、用紙搬送部４、電源及び制御部５で構成されている。
画像形成部２は、感光体ドラム６、光書込ヘッド７、マイクロカプセルトナーホッパ８、超音波ラインヘッド９、転写ローラ１０、初期化帯電ローラ１１等で構成されている。また、特には図示しないが、転写ローラ１０と初期化帯電ローラ１１の間にはクリーナが配設されている。上記の感光体ドラム６は、超音波ラインヘッド９との対向部において発色現像部ｃを形成し、転写ローラ１０との対向部において転写部ｔを形成している。
【００１９】
給紙部３は、給紙カセット１２及び給紙コロ１３で構成され、給紙カセット１２に収納された記録紙Ｐは、給紙コロ１３の１回転ごとに、給紙カセット１２から搬出され、用紙搬送部４に送られる。
用紙搬送部４は、用紙を挟持して搬送する複数の搬送ローラ対１４と、この搬送される用紙を案内する複数のガイド板１５から成り、給紙カセット１２から搬出された記録紙Ｐをガイド板１５に沿って所定の搬送路順に搬送する。
【００２０】
この用紙搬送部４によって搬送される記録紙Ｐは、画像形成部２の転写部ｃにおいて後述する発色トナー画像が転写される。発色トナー画像を転写された記録紙Ｐは、定着器１６で発色トナー画像を紙面に熱定着され、用紙搬送部４の排紙側の搬送ローラ対１４によって用紙スタッカ１７上に排出される。
【００２１】
また、電源及び制御部５は、上記画像形成部２等に電源を供給する電源部１８、及び上記光書込ヘッド７に供給する光書込データを生成し、超音波ラインヘッド９に供給する画像データを生成する制御部（制御回路）１９で構成されている。尚、制御部１９の具体的な制御回路の構成については後述する。
【００２２】
図２は、上記画像形成部２の拡大図である。画像形成部２は上記のように、感光体ドラム６の近傍に、感光体ドラム６の周囲を取り囲むようにして配設されている光書込ヘッド７、マイクロカプセルトナーホッパ８、超音波ラインヘッド９、転写ローラ１０、及び初期化帯電ローラ１１を要部として構成されている。
【００２３】
上記のマイクロカプセルトナーホッパ８内には、マイクロカプセルトナー（以下、単にカプセルトナーＴという）が収容され、最下部にカプセルトナー現像ローラ２１が設置されている。また、マイクロカプセルトナーホッパ８内には、特には図示しないが、
カプセルトナーＴに埋没するように攪拌部材が回動可能に設置され、その下方にカプセルトナー現像ローラ２１に当接してプセルトナー供給ローラが配設されている。
【００２４】
攪拌部材は、カプセルトナーＴを攪拌し、摩擦帯電によってマイナス（−）の電荷をカプセルトナーＴに付与する。カプセルトナー供給ローラは、そのマイナス電荷を付与されたカプセルトナーＴをカプセルトナー現像ローラ２１に供給する。
光書込ヘッド７は、制御部（制御回路）１９から供給される光書込みデータに基づいて感光体ドラム６の感光面に光書込みを行う。感光体ドラム６の感光面には予め初期化帯電ローラ１１によって一様な電荷が付与され、光書込ヘッド７からの光書込みによって静電潜像が形成される。
【００２５】
この静電潜像に対し、詳しくは後述するが、カプセルトナー現像ローラ２１によってカプセルトナーＴが静電的に付着されてカプセルトナー像Ｔ１の配置現像が行われる。この配置現像により形成されるカプセルトナー像Ｔ１は、各色毎に分解された画像信号の論理和信号により形成されるカプセルトナー像である。このカプセルトナー像Ｔ１は、感光体ドラム６の図の矢印ａで示す時計回り方向への回転に伴われて超音波ラインヘッド９との対向部の発色現像部ｃに運ばれる。
【００２６】
超音波ラインヘッド９には制御部（制御回路）１９から画像データが供給される。超音波ラインヘッド９は、制御部（制御回路）１９から供給される画像データに基づいて、感光体ドラム６により回転搬送されて発色現像部ｃを通過するカプセルトナーＴに対し超音波照射を行う。
【００２７】
この時、カプセルトナーＴに内包される微細マイクロカプセルの壁が破壊され、内部の反応性物質によって発色反応が起こり、カプセルトナーＴが画像情報に応じた色に発色してカラートナー像Ｔ２が感光体ドラム６上に形成（発色現像）される。
上記のようにして発色現像によってカラー画像を形成したカラートナー像Ｔ２は、更に感光体ドラム６により回転搬送され、転写部ｔにおいて、図１で説明したように記録紙Ｐに転写される。そして、この記録紙Ｐに転写された発色済みカラートナー像Ｔ２は前述したように定着器１６において熱定着処理が施され、排紙部の搬送ローラ対１４によって排紙スタッカ１７上に排出される。
【００２８】
図３は、上記のカプセルトナーＴの構造を示す図である。同図に示すように、カプセルトナーＴは大径マイクロカプセル２５内にマゼンタ（Ｍ）、シアン（Ｃ）、イエロー（Ｙ）、ブラック（Ｋ）の４種類の小径マイクロカプセル２６（２６Ｍ、２６Ｃ、２６Ｙ、２６Ｋ）を内包した構成であり、各小径マイクロカプセル２６には小径カプセル壁２７が形成されている。
【００２９】
また、上記小径マイクロカプセル２６は、大径マイクロカプセル２５内に封入されたジェル状の保持層２８中にランダムに分散している。尚、同図に示す小径マイクロカプセル２６´は発色した小径マイクロカプセルを示している。また、小径マイクロカプセル２６の小径カプセル壁２７の外側を顕色剤２９が覆っている。
【００３０】
上記の大径マイクロカプセル２５の直径は５μｍ〜１０μｍで構成され、例えば１個の大径マイクロカプセル２５内に各小径マイクロカプセル２６がそれぞれ１０個程度収容されている。また、各小径マイクロカプセル２６の直径は、例えば０．５μｍ〜２μｍ程度である。
【００３１】
図４は、上記小径マイクロカプセル２６の構造を説明する図である。小径マイクロカプセル２６は、小径カプセル壁２７で覆われ、発色剤３１を内包し、小径カプセル壁２７の外側を上述したように顕色剤２９が覆っている。そして、これら小径マイクロカプセル２６の小径カプセル壁２７の直径及び厚さはそれぞれ異っている。すなわち、小径マイクロカプセル２６Ｍ、２６Ｃ、２６Ｙ、２６Ｋは、それぞれその直径と、小径カプセル壁２７の厚さが異なり、このように構成することによって小径カプセル壁２７を破壊する共振周波数を異ならせ、各小径マイクロカプセル毎に異なる共振周波数で破壊できる構造となっている。
【００３２】
また、上記各小径マイクロカプセルの直径と厚さに加え、材質を変えることによっても破壊の共振周波数を可変でき、材質を超音波の照射する共振周波数の設定要素に加えることによってより詳細な共振周波数の設定が可能となる。
例えば、小径マイクロカプセルの直径が大きくなれば超音波の共振周波数は低い方向に移行し、小径カプセル壁２７の厚さが厚くなれば共振周波数は高い方向に移行する。また、小径カプセル壁２７の壁の材質が硬くなれば、共振周波数は高い方向に移行する。したがって、上記各要素に対応して各小径マイクロカプセル２６Ｍ、２６Ｃ、２６Ｙ、２６Ｋはそれぞれ共振周波数が異なるように設計されている。
【００３３】
また、各小径マイクロカプセル２６の発色割合は、照射される超音波のエネルギー量によって可変可能である。したがって、マゼンタ（Ｍ）、シアン（Ｃ）、イエロー（Ｙ）の発色割合を制御し、自由な中間調を実現することができる。
図５は、カラー画像形成装置１の電源及び制御部５における制御部１９の制御回路の構成を説明する図である。制御部（制御回路）１９はインターフェース（Ｉ／Ｆ）３２、印字制御部３３、ＣＰＵ３４、ＲＡＭ３５、ＲＯＭ３６で構成される。インターフェース（Ｉ／Ｆ）３２には、ＲＧＢ（Ｒ（赤）、Ｇ（緑）、Ｂ（青））入力３７からビデオデータが供給され、ＣＰＵ３４には、操作パネル３８から操作信号が入力する。
【００３４】
インターフェース（Ｉ／Ｆ）３２は、例えばパーソナルコンピュータ等のホスト機器から供給されるビデオデータ（ＲＧＢ信号）をＣＭＹＫ値に変換する多値化処理を行う。この場合、インターフェース（Ｉ／Ｆ）３２には予めデバイスに対応する色変換テーブルが登録されており、インターフェース（Ｉ／Ｆ）３２は、その色変換テーブルを参照しながらＲＧＢ信号をＣＭＹＫ値に変換する。
【００３５】
ＣＰＵ３４は、ＲＯＭ３６に記憶するプログラムに基づいて処理を行い、操作パネル３８から入力する操作信号に従って印刷処理を実行する。尚、ＲＡＭ３５はＣＰＵ３４による制御処理の際、ワークエリアとして使用され、複数のレジスタで構成されている。
ＣＰＵ３４は、上記インターフェース（Ｉ／Ｆ）３２、及び印字制御部３３内のプリンタコントローラに制御信号を送り、印刷データの作成処理を行う。また、印字制御部３３は、プリンタコントローラ３９及び印字部４０で構成されている。
【００３６】
図６は、上記印字制御部３３の具体的な回路ブロックを示す図である。同図において、プリンタコントローラ３９は主走査/副走査制御回路４１、論理和回路４２、発振回路４３、マゼンタ発色制御回路４４Ｍ、シアン発色制御回路４４Ｃ、イエロー発色制御回路４４Ｙ、ブラック発色制御回路４４Ｋで構成されている。一方、印字部４０は前述の光書込ヘッド７及び超音波ラインヘッド９で構成されている。
【００３７】
前述のように、インターフェース（Ｉ/Ｆ）３２によってＣＭＹＫ値に変換された画像データは、更にインターフェース（Ｉ/Ｆ）３２からマゼンタ（Ｍ）、シアン（Ｃ）、イエロー（Ｙ）、ブラック（Ｋ）の画素データとして論理和回路４２に出力される。ここで、論理和回路４２はＣＭＹＫの論理和を計算し、光書込ヘッド７に出力する。
【００３８】
すなわち、ＣＭＹＫの全ての画素データを含む論理和のデータを光書込ヘッド７に出力し、前述の感光体ドラム６に光書込みを行う。したがって、前述の感光体ドラム６の周面にはＣＭＹＫの全ての画素データを含む論理和データに基づく静電潜像が形成される。尚、主走査/副走査制御回路４１から論理和回路４２に主走査制御信号、及び副走査制御信号が供給され、光書込ヘッド７に論理和データを供給する際、主走査方向制御及び副走査方向制御に使用される。
【００３９】
また、ＣＭＹＫの画素データは、それぞれに対応するマゼンタ発色制御回路４４Ｍ〜ブラック発色制御回路４４Ｋにも供給され、発振回路４３から出力される発振信号ｆｍ、ｆｃ、ｆｙ、ｆｋに同期して超音波ラインヘッド９に出力される。すなわち、マゼンタ（Ｍ）、シアン（Ｃ）、イエロー（Ｙ）、ブラック（Ｋ）のそれぞれに対応する発色データが超音波ラインヘッド９に供給され、前述の感光体ドラム６上に吸着されているカプセルトナーＴに対応する後述する共振周波数の超音波が照射される。
【００４０】
したがって、照射される超音波に共振する波動を受けたカプセルトナーＴ内の小径マイクロカプセル２６が破壊されて発色する。この場合、マゼンタ発色制御回路４４Ｍから出力される発色信号の周波数ｆが異なるため、超音波を受けたカプセルトナーＴは、対応する色の小径マイクロカプセル２６Ｍ、２６Ｃ、２６Ｙ、又は２６Ｋの小径カプセル壁２７のみが破壊される。このメカニズムは、各小径マイクロカプセル２６の外殻径がそれぞれ異なり、破壊する共振周波数が各小径マイクロカプセル２６ごとにそれぞれ異なる為である。
【００４１】
例えば、マゼンタ発色制御回路４４Ｍから出力された発色信号ｆｍはカプセルトナーＴ内の小径マイクロカプセル２６Ｍの小径カプセル壁２７のみを破壊し、マゼンタ（Ｍ）色の発色を行う。また、シアン発色制御回路４４Ｃから出力された発色信号ｆｃは小径マイクロカプセル２６Ｃの小径カプセル壁２７のみを破壊し、シアン（Ｃ）色の発色を行う。さらに、イエロー（Ｙ）及びブラック（Ｋ）についても同様であり、イエロー発色制御回路４４Ｙ、ブラック発色制御回路４４Ｋから出力される発色信号ｆｙ、ｆｋは、小径カプセル２６Ｙ又は２６Ｋの小径カプセル壁２７のみを破壊し、イエロー（Ｙ）、又はブラック（Ｋ）の発色を行う。
【００４２】
図７(a),(b),(c) は、上記のカプセルトナーＴが超音波ラインヘッド９によって超音波照射を受けて選択的に発色する原理を説明する図である。
図７(a) は、上記の発色現像部ｃにおいてカプセルトナーＴが超音波照射を受けている状態を示す図である。ここで、矢印ＤはカプセルトナーＴの層厚を示し、破線Ｓは超音波（収束超音波）を示し、矢印ｄは超音波の収束解像度（例えば、１画素）を示している。
【００４３】
前述のように、カプセルトナーＴは大径カプセル２５内にマゼンタ（Ｍ）、シアン（Ｃ）、イエロー（Ｙ）、ブラック（Ｋ）の４種類の小径マイクロカプセル２６Ｍ、２６Ｃ、２６Ｙ、２６Ｋが内包されており、共振周波数の超音波を受けた小径マイクロカプセルの小径カプセル壁２７が破壊され、内部の発色剤３１が顕色剤２９と混合して反応し、発色する。
【００４４】
例えば、図７(b) は、超音波ラインヘッド９から単一の共振周波数の超音波ＳがカプセルトナーＴに照射されている状態を示している。この場合は、この共振周波数で振動する小径マイクロカプセルのみが破壊されて発色する。また、同図(c) は超音波ラインヘッド９から２つの共振周波数の超音波Ｓ１、Ｓ２がカプセルトナーＴに照射される状態を示している。この場合は、これらの共振周波数Ｓ１、又はＳ２で振動する小径カプセルが破壊されてそれぞれ発色する。
【００４５】
例えば、小径マイクロカプセル２６Ｍの小径カプセル壁２７のみが破壊されると、マゼンタ（Ｍ）色が発色する。また、小径マイクロカプセル２６Ｃの小径カプセル壁２７のみが破壊されるとシアン（Ｃ）色が発色する。また、小径マイクロカプセル２６Ｍの小径カプセル壁２７と小径マイクロカプセル２６Ｃの小径カプセル壁２７が破壊されると、赤色が発色し、小径マイクロカプセル２６Ｃの小径カプセル壁２７と小径マイクロカプセル２６Ｙの小径カプセル壁２７が破壊されると、青色が発色する。
【００４６】
図８は、上記の超音波ラインヘッド９の外観斜視図である。同図に示す超音波ラインヘッド９は、その長手方向が主走査方向であり、短手方向が副走査方向である。そして主走査方向に後述する超音波素子が形成されている。以下、これについて具体的に説明する。
図９(a) は、超音波ラインヘッド９の上面図であり、同図(b) は個別印加電極の上面図、同図(c) は同図(b) のＤ−Ｄ´矢視断面図、同図(d) は同図(c) のＥ−Ｅ´矢視断面図である。
【００４７】
本例で説明した超音波ラインヘッド９は、同図(c),(d) に示すように、担持体４５内に５層の部材を積層して構成され、最下層（第５層）には共通電極（アース）４６−５が配設され、第４層には圧電素子である超音波素子４６−４が配設され、第３層には主走査方向に短冊状に並んだ個別印加電極４６−３が配設され、第２層には超音波素子４６−４と超音波伝搬媒体との音響インピーダンスの差を軽減する為の音響インピーダンス整合層４６−２が配設され、更に第１層には音響レンズ４６−１が配設されている。
【００４８】
超音波素子４６−４には個別印加電極４６−３と共通電極４６−５が接続され、個別印加電極４６−３にはそれぞれ個別配線４６−３−１が接続されて、前述の超音波出力信号が供給される。超音波素子４６−４は上記信号が印加されると歪みを生じ、所定の周波数で超音波振動が励起される。
【００４９】
超音波素子４６−４で励起された超音波振動は音響インピーダンス整合層４６−２を通して音響レンズ４６−１で屈折され、指定位置（指定距離）に集束する。尚、音響インピーダンス整合層４６−２は上記のように、超音波素子４６−４と超音波伝搬媒体との音響インピーダンスの差を軽減する機能を有している。
【００５０】
ここで、上記指定位置に画素サイズの超音波ビームを集束させる為には超音波素子４６−４を微細なサイズに加工することが困難であることと前述の小径カプセル壁３４を破壊する為に必要な音圧を１個の超音波素子４６−４で得ることが困難であることから、主走査方向及び副走査方向に複数からなる超音波素子４６−４の超音波ビームを集束させることによって指定位置に画素サイズの超音波ビームを集束させるようにする。
【００５１】
図１０は、主走査方向（Ｘ方向）に配設された超音波素子４６−４と、超音波素子４６−４から出力される超音波の集束位置の関係を示す図である。尚、同図において説明上、超音波素子４６−４には紙面の左側から素子番号１、２、３、・・・が付与されている。また、同図に示す集束位置には画素番号（例えば、１〜７１６８）が付与されている。尚、上記集束位置は、例えば図１及び図２の感光体ドラム６上にカプセルトナーＴが静電付着して発色現像部において超音波ラインヘッド９が対峙している位置である。
【００５２】
図１１は、上記超音波素子４２−４の配設構成の一部を拡大してその作用とともに示す図である。同図は、例えば超音波素子「１」〜「６」までを拡大して示している。同図に示すように、互いに隣り合う超音波素子４２−４は間隔ｄを有して配設されており、同時にｍ個（例えば５個又は６個）の超音波素子４２−４を時間遅延させながら駆動する。
【００５３】
例えば、同図に示すＡ点について考えると、同時にｍ個（例えば５個）の超音波素子４２−４を時間遅延させて５個の超音波素子４２−４の中心（Ａ点）に強力な超音波をあてる。例えば、「１」の超音波素子４２−４とＡ点の距離、「２」の超音波素子４２−４とＡ点の距離、「３」の超音波素子４２−４とＡ点の距離は少しづつ異なり、この距離差と超音波の伝搬速度から５個の各超音波素子４２−４の出力タイミングをずらし、所定のタイミングで超音波出力を行う。このように制御することにより、同時にＡ点に強力な超音波を照射することができる。
【００５４】
また、上記Ａ点に限らず超音波素子４２−４からの超音波出力のタイミングを調整することによって、超音波素子４２−４の配設ピッチより狭い位置（例えば、１/２ｄの位置、Ｂ点）に複数（同図の例では６個）の超音波素子４２−４から出力された超音波ビームを集束させることもできる。これを順次Ａ→Ｂ方向に繰り返すことによって大径マイクロカプセル２５内の小径マイクロカプセル２６の小径カプセル壁２７への破壊力をＡ→Ｂ方向に移動させることができる。
【００５５】
図１２は、カプセルトナーＴの上記とはやや異なる構成を示す図である。本例のカプセルトナーＴの構成においては、今まで説明したカプセルトナーＴの構成と基本的に同じであるが、本例では、顕色剤２９がいままでのように各小径マイクロカプセル２６Ｍ、２６Ｃ、２６Ｙ、２６Ｋの周面に位置するのではなく、保持層２８内に混入されている。このように構成することにより、カプセルトナーＴの製造を簡単にすることができる。
【００５６】
尚、この場合大径マイクロカプセル２５の直径、及び小径マイクロカプセル２６Ｍ、２６Ｃ、２６Ｙ、２６Ｋの直径は、図３の場合と同じであり、小径マイクロカプセル２６Ｍ、２６Ｃ、２６Ｙ、２６Ｋはそれぞれその直径と、小径カプセル壁２７の厚さ、材質又は径の大きさによって共振周波数の設定は各小径マイクロカプセル２６Ｍ、２６Ｃ、２６Ｙ、２６Ｋ毎に可能であり、選択的に小径マイクロカプセル２６Ｍ、２６Ｃ、２６Ｙ、２６Ｋを破壊して、画像データに従った発色を行うことができる。
【００５７】
図１３は、カプセルトナーＴの上記とは更に異なる構成を示す図である。図１３に示すように、本例では小径マイクロカプセル（例えば、小径マイクロカプセル２６Ｍ）は、小径カプセル壁２７の内側に発色剤３１が内包され、外側に顕色剤２９が位置する。さらに、小径カプセル壁２７の内部には、殻４７に内包された気泡４８が封入されている。
【００５８】
この気泡４８を上記のように内包すると、気泡４８周囲の音響インピーダンスを変化させることができる。具体的には、気泡４８の直径と気泡４８を包む殻４７の材質と厚さによって音響インピーダンスは変化し、上記要素を組み合わすことによって、共振周波数を可変することができる。
【００５９】
例えば、気泡４８を内包する場合、前述の小径カプセル壁２７の直径、厚さ、材質によって設定された共振周波数は、気泡４８の半径や殻４７の材質と厚さによって大きく左右される。したがって、例えば小径マイクロカプセル２６Ｍ、２６Ｃ、２６Ｙ、２６Ｋ毎に気泡４８のサイズ半径等を変えることによって、共振周波数を大きく変えることができる。
【００６０】
このように構成することにより、小径マイクロカプセル２６Ｍ、２６Ｃ、２６Ｙ、２６Ｋの発色の自由度が増し、共振周波数の選択の幅も拡大することになる。
尚、上記気泡４８を内包する小径マイクロカプセルはマゼンタ（Ｍ）、シアン（Ｃ）、イエロー（Ｙ）、ブラック（Ｋ）全てにおいて可能であり、３種類の小径マイクロカプセル２６Ｍ、２６Ｃ、２６Ｙを使用する場合、又は２種類の小径マイクロカプセル２６Ｍと２６Ｃ、２６Ｙと２６Ｋを使用する場合においても適用可能である。
【００６１】
また、図１３に示す小径マイクロカプセル２６Ｍ、２６Ｃ、２６Ｙ、２６Ｋの例では気泡４８に殻４７が形成されているが、殻４７を形成しない構成としてもよい。
上述したカラー画像形成装置において、超音波を受けたカプセルトナーＴは、受けた超音波に対応する色の小径マイクロカプセル２６（２６Ｍ、２６Ｃ、２６Ｙ、２６Ｋ）の小径カプセル壁２７のみが破壊される。このメカニズムは、小径マイクロカプセル２６の外殻径がそれぞれ異なり、破壊する共振周波数が小径マイクロカプセル２６によって異なる為であることは前述した。すなわち小径マイクロカプセルの厚みや材質が同一である場合に直径が大きくなれば超音波の共振周波数は低い方向に移行し、小径カプセル壁２７の厚さが厚くなれば共振周波数は高い方向に移行することは前述した。
【００６２】
したがって、大径マイクロカプセル内の各色毎の小径マイクロカプセルの個数を同数にした場合、径が同一であれば体積も同一であるから各色同様の濃度が得られるが、各色毎の小径マイクロカプセルの厚みや材質が同一である場合に径も同一であると、１種類の破壊共振周波数で全ての色が発色してしまうから、それぞれ径を異ならせて、その異なる径に対応する破壊共振周波数で所望の色を個別に発色させるようにしなければならない。
【００６３】
その場合、径が異なる小径マイクロカプセルの各色の個数が同数であると色毎に濃度に差が生じる。そうすると、発色させる色ごとに濃度差を補正するためのソフト上の制御が必要になってくる。これでは面倒であるので、大径マイクロカプセル内の各色毎の小径マイクロカプセルの径を異ならせた上で且つ濃度が同一になるようにする必要がある。
【００６４】
そして、その場合、大径マイクロカプセル内全体としては、各色の濃度を確保するために発色剤の量を増やそうとすれば顕色剤の量が減り、顕色剤の充分な量を確保しようとすると発色剤の量が減少してしまうという問題がある。したがって、本例では、大径マイクロカプセル内の小径マイクロカプセル毎の適正な個数を設定して発色剤の量が各色一定になるようにする。
【００６５】
ここで、本発明における小径マイクロカプセル２６の小径カプセル壁２７を破壊するために使用する超音波について説明する。前述のようにカプセルトナーＴを発色させる際、小径マイクロカプセル２６Ｍ、２６Ｃ、２６Ｙ、２６Ｋ内の小径カプセル壁２７を超音波で破壊する。この場合、特定の共振周波数の超音波を照射し、小径カプセル壁２７を伸張、膨張を複数回繰り返すことによって亀裂を生じさせ、最終的に破壊に導くものである。
【００６６】
先ず、図１３に示した気泡４８を内包する小径マイクロカプセル２６のような液体中の含気カプセルには以下の特徴がある。すなわち、含気カプセルを特定条件におくことによって、非常に大きな振動を起こす。今、含気カプセルの初期半径をＲo、液体の密度をρ、平衡時の液体圧力をＰo 、超音波による圧力をＰａ、カプセルのシェルパラメータをＳｐ、カプセル内気圧をＰｗとした時、そのカプセルの半径（Ｒｔ）の運動状態は、以下の式（１）、（２）で表現される。
【００６７】
【数１】
2005070486.tif 000003
【００６８】
上記式（１）、（２）、及び各種実験により、選択的に共振する周波数を３種、又は４種選択することによって本実施形態を実現する。
図１４は、気泡半径別振幅と周波数依存性を示す図であり、上記式（１）において、小径マイクロカプセル２６Ｍ、２６Ｃ、２６Ｙのカプセル半径の変化率をカプセル毎に異ならせた時の共振周波数を表したものである。例えばマゼンタ（Ｍ）の小径マイクロカプセル２６Ｍの初期半径をＲｍとし、シアン（Ｃ）の初期半径をＲｃとし、イエロー（Ｙ）の小径マイクロカプセル２６Ｙの初期半径をＲｙとした時、それぞれのカプセルの周波数依存性を示す。尚、同図の縦軸はカプセルの振幅（ΔＲ/Ｒo）を示す。
【００６９】
上記設定による実験を多数回繰り返すことによって、最大振幅が３１％以上膨張すると小径カプセル壁２７に亀裂が生じることが確認された。したがって、同図に示すように、膨張率が６０％を超える周波数（共振周波数）を持つ超音波を照射することによって小径カプセル壁２７を破壊し、発色剤３１と顕色剤２９を混合反応させて、発色させることができる。
【００７０】
尚、図１４では小径マイクロカプセル２６Ｍに照射する共振周波数を２６ｆ−ｍで示し、小径マイクロカプセル２６Ｃに照射する共振周波数を２６ｆ−ｃで示し、小径マイクロカプセル２６Ｙに照射する共振周波数を２６ｆ−ｙで示している。例えば、図７(b) に示した単一の共振周波数の超音波Ｓを２６ｆ−ｃとすれば、マイクロカプセルＴは小径マイクロカプセル２６Ｃを破壊されてシアン色を発色する。また、図７(c) に示した２つの共振周波数の超音波Ｓ１、Ｓ２をそれぞれ２６ｆ−ｍ、２６ｆ−ｙとすれば、マイクロカプセルＴは小径マイクロカプセル２６Ｍと２６Ｙを破壊されてオレンジ色を発色する。
【００７１】
図１５は、大径マイクロカプセル内に小径マイクロカプセル２６Ｍ、２６Ｃ、２６Ｙと更にブラック（Ｋ）の小径マイクロカプセル２６Ｋを含む場合の特性を示す図である。この場合、図１５から分かるように、上記３種の共振周波数と異なる共振周波数２６ｆ−ｋの設定を行い、ブラック（Ｋ）を加えた４種の小径マイクロカプセル２６Ｍ、２６Ｃ、２６Ｙ、２６Ｋを選択的に破壊することができる。
【００７２】
図１６は、上記の超音波照射によって小径マイクロカプセル２６Ｍ、２６Ｃ、２６Ｙ、２６Ｋが振動する状態を示す図であり、横軸は時間軸を示している。入力した超音波は前述の式（１）に示すように、振動する粗密波として小径カプセル壁２７に出力され、その周期に対応して小径カプセル壁２７の外径が変動し、伸縮と膨張を繰り返す。
【００７３】
同図に示すように、入力する超音波の影響は順次大きくなり、第１波より直ちに最大振幅になるのではなく、数波の入力によって最大振幅に達する。したがって、最適かつ効果的な振動を得る為、各小径カプセル壁２７には少なくとも数波が必要であり、多くの実験から４〜６波の照射によって最大振幅に達することが分かった。そこで、本実施形態では各小径マイクロカプセル２６Ｍ、２６Ｃ、２６Ｙ、２６Ｋに対する超音波照射は少なくとも上記波数分供給される。
【００７４】
さらに、図１６からも判るように、共振周波数Ｒt-1 又はＲt-0.5 の場合と、非共振周波数Ｒt-2 では振動レベルが極端に異なる。したがって、各小径マイクロカプセル２６（２６Ｍ、２６Ｃ、２６Ｙ、又は２６Ｋ）に対応する共振周波数を照射することによる、他の小径マイクロカプセル２６（２６Ｍ、２６Ｃ、２６Ｙ、又は２６Ｋ）に与える影響は極めて小さく、ターゲットとなる小径マイクロカプセル２６Ｍ、２６Ｃ、２６Ｙ、又は２６Ｋに短時間共振周波数を与えることによって、選択的に効率よくターゲットとなる小径マイクロカプセルを破壊することができる。
【００７５】
図１７は、超音波照射の為の出力パルスを示す図である。上記説明の如く単発の出力ではなく、効果的に小径カプセル壁２７を破壊する為、例えば画素単位当たり数波（同図の例では４波）の超音波照射を行う。
【実施例２】
【００７６】
ところで、上述の説明では、発色現像を全て乾燥現像として説明しているが、超音波ラインヘッドによる発色現像は、液体現像としても良いことは勿論である。むしろ液体現像とした方が、超音波のエネルギーを有効に作用させることができる。以下、この液体現像について、第２の実施の形態として説明する。
【００７７】
図１８は、第２の実施の形態におけるカラー画像形成装置の構成を示す図である。尚、同図には本例のカラー画像形成装置５０の画像形成部２´のみを取り出して示しており、図１又は図２に示した構成と同一の構成部分には図１又は図２と同一の番号を付与して示している。
【００７８】
また、その他の構成は、図１では左側に在った転写ローラ１０が本例の図１８では右側に移動したことに応じて、図１に示した給紙部３、用紙搬送部４、及び電源及び制御部５の配置が、本例では画像形成部２´を中心にして左右入れ替わって配置される。
図１８に示すように、本例のカラー画像形成装置５０において、画像形成部２´は、感光体ドラム６の直下に、感光体ドラム６の下面に接して中間転写ドラム５１が配置される。感光体ドラム６が図の矢印ａで示す時計回り方向に回転することに対応して、中間転写ドラム５１は、感光体ドラム６の周面線速度と同一の周面線速度で図の矢印ｂで示す反時計回り方向に回転する。
【００７９】
感光体ドラム６と中間転写ドラム５１との間には、不図示のバイアス電源により、所定のバイアス電圧が印加されており、これにより、感光体ドラム６上に形成されたカプセルトナー像Ｔ１は中間転写ドラム５１に転写される。
中間転写ドラム５１の下面には、超音波ラインヘッド９の超音波照射部９ａと、この超音波照射部９ａと一体に形成された液体収容皿５２が配置されて、中間転写ドラム５１との間に超音波ラインヘッド９の超音波照射部９ａと共に発色現像部ｃを形成している。発色現像部ｃが形成される間隙、すなわち超音波ラインヘッド９の超音波照射部９ａ（超音波素子の配設面）から中間転写ドラム５１上の発色現像部までの距離は、この超音波ラインヘッド９の超音波集束距離である約２ｍｍに設定されている。
【００８０】
また、上記の液体収容皿５２は、液体相の超音波伝播材５３を収容している液体容器５４と、この液体容器５４の中の超音波伝播材５３を液体収容皿５２に供給する液体送出パイプ５５と共に液体供給ユニットを形成している。
液体収容皿５２には、液体容器５４から液体送出パイプ５５を介して供給される液体相の超音波伝播材５３が常時満載されており、この超音波伝播材５３が発色現像部ｃにおいて中間転写ドラム５１の下面に接するように全体が配置されている。
【００８１】
これにより、中間転写ドラム５１と超音波ラインヘッド９先端の超音波照射部９ａとが対向する発色現像部ｃには常に液体相の超音波伝播材５３が満たされている状態となり、中間転写ドラム５１により発色現像部ｃへと回転搬送されてくるマイクロカプセルトナーの画素群層（カプセルトナー像Ｔ１）は、発色現像部ｃにおいて液体相の超音波伝播材５３に浸漬され、外気等の気体相は間隙に入り込む余地なく排除される。このように、発色現像部ｃにおいては、液体相の超音波伝播材５３が中間転写ドラム５１及びカプセルトナー像Ｔ１に対し気体相を介在させることなく接触している。
【００８２】
これにより、発色前のカプセルトナー像Ｔ１は、超音波ラインヘッド９から、気体相を介在させることなく液体相の超音波伝播材５３を介して効率よく集束照射される超音波によって、発色しながら通過し、発色トナーの画素群層（カラートナー像Ｔ２）となって次の転写部ｔへと回転搬送される。
【００８３】
ところで、感光体ドラム６は、乾式電子写真方式の配置現像器であり、これに接触している中間転写ドラム５１から残留する超音波伝播材５３が移転して付着すると、感光体ドラム６の帯電性能が著しく低下する虞がある。従って、特には図示していないが、中間転写ドラム５１の回転方向の転写ローラ１０より下流側には、残留する超音波伝播材５３を除去する装置が配設されている。
【実施例３】
【００８４】
ところで、上記のように残留する超音波伝播材５３を除去する装置の配設は、配設する部材が増えて装置全体が大型化するだけでなく、除去によって超音波伝播材５３の消耗も促進されるから、最良の形態であるとは言いがたい。
ところが、本発明者による他の方法によれば、このように残留する超音波伝播材５３を除去する装置を配設しなくても、中間転写ドラム５１から残留する超音波伝播材５３が感光体ドラム６に移転しないようにすることができ、且つ、感光体ドラム６から中間転写ドラム５１への発色前のカプセルトナー像Ｔ１の転写も円滑に行うことができる。以下、これについて、第３の実施の形態として説明する。
【００８５】
図１９は、第３の実施の形態におけるカラー画像形成装置の構成を示す図である。尚、同図には本例のカラー画像形成装置の画像形成部のみを取り出して示しており、図１８に示した構成と同一の構成部分には図１８と同一の番号を付与して示している。
図１９に示すカラー画像形成装置５６の画像形成部５７の構成は、図１８に示したカラー画像形成装置５０の画像形成部２´の各部の構成と同一であるが、図１９においては感光体ドラム６と中間転写ドラム５１との配置関係が、図１８の場合と異なる。
【００８６】
すなわち、図１９に示すカラー画像形成装置５６の画像形成部５７の構成では、感光体ドラム６と中間転写ドラム５１とが非接触となっており、感光体ドラム６と中間転写ドラム５１との間には間隙Ｋが形成されている。このように間隙Ｋを形成しても、中間転写ドラム５１に印加する転写バイアス電圧が適正であれば、マイナス帯電している発色前のカプセルトナー像Ｔ１を感光体ドラム６から中間転写ドラム５１へ正しく跳び転写させることができる。
【００８７】
良好な跳び転写の性能を維持するには、上記の転写バイアス電圧と間隙Ｋとの関係が大きく関わってくることが判明している。すなわち、良好な跳び転写性能が得られる印加バイアス電圧値は、間隙Ｋが広がるに応じて、その広がりにほぼ比例して高い値が必要とされる。
【００８８】
実験によれば、例えば、間隙Ｋを０．１ｍｍに取った場合は、印加バイアス電圧を１．ＯｋＶ近辺に取ることで、最も良好な跳び転写性能が得られる。また、間隙Ｋが０．２ｍｍの場合は、印加バイアス電圧を１．４ｋＶ近辺に、間隙Ｋが０．３ｍｍの場合には、印加バイアス電圧を１．７５ｋＶ近辺にまで高めると、良好な跳び転写性能を維持することができる。
【００８９】
図２０は、上記の実験により得られた転写バイアス電圧と間隙Ｋとの関係を示す特性図である。同図は横軸に間隙Ｋをｍｍ（ミリメータ）で表しており、縦軸に印加バイアス電圧のＤＣ電圧をｋＶで表している。
同図の特性図に示すように、間隙Ｋが０．１ｍｍのときは、良好な跳び転写性能が得られるＤＣ電圧の範囲は０．９〜１．１ｋＶであり、このデータは、１．０ｋＶを中心に１００Ｖ程度の範囲で電圧値を変動させても充分に跳び転写性能を維持することができることが確認されたことによる。
【００９０】
また、同様にして、間隙Ｋが０．２ｍｍのときは、同図に示すように、良好な跳び転写性能が得られるＤＣ電圧の範囲は１．３〜１．５ｋＶである。そして、間隙Ｋが０．３ｍｍになると、ＤＣ電圧を１．７５ｋＶから前後に５０Ｖ程度変動させると、跳び転写画像に乱れを生じ、跳び転写性能の維持が困難になる。すなわち、間隙Ｋが０．３ｍｍのときは、良好な跳び転写性能が得られるＤＣ電圧の範囲は１．７５〜１．８ｋＶが限界であるといえる。
【００９１】
また、間隙Ｋが０．４ｍｍでは、良好な跳び転写性能が得られるＤＣ電圧の範囲は極めて狭くて殆ど許容範囲を設ける余地がなくなっている。
このように、良好な跳び転写性能を維持できる印加バイアス電圧の範囲は、間隙Ｋが狭ければ対応可能な印加バイアス電圧値の取り得る範囲は幅広く、間隙Ｋが広がるほど対応可能な印加バイアス電圧値の取り得る範囲は狭まくなり、したがって、間隙Ｋが広がるほど電圧の制御が困難となる。
【００９２】
このようなことから、転写バイアス電圧と間隙Ｋとの関係をまとめると、感光体ドラム６と中間転写ドラム５１との非接触対向部における間隙Ｋは「０．１ｍｍ≦Ｋ≦０．３ｍｍ」の範囲に設定するのが良く、その場合、中間転写ドラム５１に印加するバイアス電圧Ｅは「０．９ｋＶ≦Ｅ≦１．８ｋＶ」の範囲であると良いということになる。
【００９３】
尚、上記中間転写ドラム５１への印加バイアス電圧として、ＤＣ電圧にＡＣ電圧を重畳させるようにしても跳び転写は可能である。この場合も、特には特性図の図示はしないが、実験によれば、ＤＣ電圧＋ＡＣ電圧のピーク電圧（プラス側）Ｅａを、上記同様に「０．９ｋＶ≦Ｅａ≦１．８ｋＶ」の範囲に収まるように設定すると比較的良好な跳び転写性能を得ることができることが判明している。
【００９４】
また、一般に、電子写真式のプリンタには、その印字速度として例えば約３２ｍｍ／ｓｅｃよりも速いノーマル印字モードの印字速度と、これよりも遅い例えば厚紙などに印字する際の特別印字モードの印字速度（上記の例えば約３２ｍｍ／ｓｅｃ）が設定されているが、実験によれば、上記の間隙Ｋの「０．１ｍｍ≦Ｋ≦０．３ｍｍ」の範囲設定に拘わりなく、上記３２ｍｍ／ｓｅｃよりも速い速度で印字したほうが、良好な、特に精度の優れた、跳び転写性能を得ることが判明した。
【図面の簡単な説明】
【００９５】
【図１】第１の実施の形態としてのカラー画像形成装置の全体構成図である。
【図２】第１の実施形態のカラー画像形成装置における画像形成部の拡大図である。
【図３】第１の実施形態のカラー画像形成装置に用いられるカプセルトナーＴの構造を示す図である。
【図４】カプセルトナーＴに内包される小径マイクロカプセルの構造を説明する図である。
【図５】第１の実施形態のカラー画像形成装置の電源及び制御部における制御部の制御回路の構成を説明する図である。
【図６】制御部の制御回路における印字制御部の具体的な回路ブロック図である。
【図７】(a),(b),(c) はカプセルトナーＴが超音波ラインヘッドによって超音波照射を受けて選択的に発色する原理を説明する図である。
【図８】超音波ラインヘッドの外観斜視図である。
【図９】(a) は超音波ラインヘッドの上面図、(b) はその個別印加電極の上面図、(c) は(b) のＤ−Ｄ´矢視断面図、(d) は(c) のＥ−Ｅ´矢視断面図である。
【図１０】主走査方向（Ｘ方向）に配設された超音波素子とこの超音波素子から出力される超音波の集束位置の関係を示す図である。
【図１１】超音波素子の配設構成の一部を拡大して示す図である。
【図１２】顕色剤が各小径カプセル壁の周面に位置するのではなく保持層内に混入されているカプセルトナーの他の構成の例を示す図である。
【図１３】小径カプセル壁の内部に気泡が封入されている構成を説明する図である。
【図１４】大径マイクロカプセル内に３色の小径マイクロカプセルを含む場合の気泡半径別振幅と周波数依存性を示す図である。
【図１５】大径マイクロカプセル内に更にブラック（Ｋ）の小径マイクロカプセルを加えた４色の小径マイクロカプセルを含む場合の特性を示す図である。
【図１６】超音波照射によって複数種の小径マイクロカプセルが振動する状態を示す図である。
【図１７】超音波照射のための出力パルスを示す図である。
【図１８】第２の実施の形態におけるカラー画像形成装置の画像形成部の構成を示す図である。
【図１９】第３の実施の形態におけるカラー画像形成装置の画像形成部の構成を示す図である。
【図２０】感光体ドラムと中間転写ドラムとの間隙と中間転写ドラムに印加する転写バイアス電圧との関係を示す実験により得られた特性図である。
【符号の説明】
【００９６】
１      カラー画像形成装置
２、２´    画像形成部
３      給紙部
４      用紙搬送部
５      電源及び制御部
６      感光体ドラム
７      光書込ヘッド
８      マイクロカプセルトナーホッパ
９      超音波ラインヘッド
９ａ    超音波照射部
１０    転写ローラ
１１    初期化帯電ローラ
１２    給紙カセット
１３    給紙コロ
１４    搬送ローラ対
１５    ガイド板
１６    定着器
１７    用紙スタッカ
１８    電源部
１９    制御部（制御回路）
ｃ      発色現像部
Ｐ      記録紙
ｔ      転写部
Ｔ      カプセルトナー
２１    カプセルトナー現像ローラ
２５    大径マイクロカプセル
２６（２６Ｍ、２６Ｃ、２６Ｙ、２６Ｋ）  小径マイクロカプセル
２７    小径カプセル壁
２８    保持層
２９    顕色剤
３１    発色剤
３２    インターフェース（Ｉ/Ｆ）
３３    印字制御部
３４    ＣＰＵ
３５    ＲＡＭ
３６    ＲＯＭ
３７    ＲＧＢ入力
３８    操作パネル
３９    プリンタコントローラ
４０    印字部
４１    主走査/副走査制御回路
４２    論理和回路
４３    発振回路
４４Ｍ  マゼンタ発色制御回路
４４Ｃ  シアン発色制御回路
４４Ｙ  イエロー発色制御回路
４４Ｋ  ブラック発色制御回路
４５    担持体
４６−１  音響レンズ
４６−２  音響インピーダンス整合層
４６−３  個別印加電極
４６−３−１  個別配線
４６−４  超音波素子
４６−５  共通電極
４７    殻
４８    気泡
５０    カラー画像形成装置
５１    中間転写ドラム
５２    液体収容皿
５３    超音波伝播材
５４    液体容器
５５    液体送出パイプ
５６    カラー画像形成装置
５７    画像形成部
【図１】
2005070486.tif 000004
【図２】
2005070486.tif 000005
【図３】
2005070486.tif 000006
【図４】
2005070486.tif 000007
【図５】
2005070486.tif 000008
【図６】
2005070486.tif 000009
【図７】
2005070486.tif 000010
【図８】
2005070486.tif 000011
【図９】
2005070486.tif 000012
【図１０】
2005070486.tif 000013
【図１１】
2005070486.tif 000014
【図１２】
2005070486.tif 000015
【図１３】
2005070486.tif 000016
【図１４】
2005070486.tif 000017
【図１５】
2005070486.tif 000018
【図１６】
2005070486.tif 000019
【図１７】
2005070486.tif 000020
【図１８】
2005070486.tif 000021
【図１９】
2005070486.tif 000022
【図２０】
2005070486.tif 000023